(57)【要約】      （修正有）【課題】場所に対する要求が比較的低く、配置しやすい体感模擬装置の提供。【解決手段】キャビン２１とキャビンドア２２を含む乗載ユニット２と、少なくとも１つの展示空間３１を含むプラットフォームユニット３と、アクチュエータモジュール４１を含む動力ユニット４を含む体感模擬装置。該体感模擬装置は、使用者が該キャビン２１に乗り込むと該キャビンドア２２を閉める。該アクチュエータモジュール４１は、実際の移動量とは異なる上下方向の往復移動感覚を該キャビン２１内の使用者が体感するように該乗載ユニット２を駆動し、使用者が乗り込んだ該展示空間３１とは異なる展示空間３１が見えるようにして該キャビンドア２２を開け、比較的低い実際の垂直移動量で複数の階層間を往復移動する感覚を使用者がえらえるように模擬する。【選択図】図２
2020011052.tif 000002
【特許請求の範囲】
【請求項１】
体感模擬装置であって、少なくとも１人の使用者を搭載するために用いられ、乗載ユニットと、プラットフォームユニットと、動力ユニットを含み、
該乗載ユニットが、該少なくとも１人の使用者の乗載に用いられるキャビンと、該キャビン上に設置され、かつ制御により開閉できるキャビンドアを含み、
該プラットフォームユニットが該乗載ユニットの傍に設置され、かつ少なくとも１つの展示空間を含み、該展示空間が該キャビンドアに対応し、かつ該キャビンドアが開いたとき、該少なくとも１人の使用者の前に展示するために用いられ、
該動力ユニットが、該乗載ユニット上に設置されたアクチュエータモジュールを含み、該アクチュエータモジュールは、該キャビンドアが完全に閉じられた後、再び開かれるまでの期間内に、該乗載ユニットを駆動して上下方向に沿って移動させるために用いられる、
ことを特徴とする、体感模擬装置。
【請求項２】
前記動力ユニットの該アクチュエータモジュールが、該乗載ユニットを駆動し、上下方向に沿って少なくとも１回往復昇降させることができることを特徴とする、請求項１に記載の体感模擬装置。
【請求項３】
前記プラットフォームユニットがさらに出入り空間を含み、該動力ユニットがさらに該乗載ユニット上に設置された駆動モジュールを含み、該駆動モジュールが該乗載ユニットを動かし、該プラットフォームユニットに対して位置を変化させ、該キャビンドアを該少なくとも１つの展示空間及び該出入り空間のうちのいずれか１つに向けることができることを特徴とする、請求項１に記載の体感模擬装置。
【請求項４】
前記少なくとも１つの展示空間及び該出入り空間が該乗載ユニットを囲んで設置され、該動力ユニットの該駆動モジュールが旋回方式で該キャビンを動かして旋回させ、該キャビンドアを該少なくとも１つの展示空間及び該出入り空間のうちの１つに向けることを特徴とする、請求項３に記載の体感模擬装置。
【請求項５】
前記少なくとも１つの展示空間及び該出入り空間が設置経路に沿って設置され、該動力ユニットの該駆動モジュールが該キャビンを動かし、該設置経路に沿って移動させ、該キャビンドアを該少なくとも１つの展示空間及び該出入り空間のうちの１つに向けることができることを特徴とする、請求項３に記載の体感模擬装置。
【請求項６】
前記少なくとも１つの展示空間及び該出入り空間が設置経路に沿って設置され、該動力ユニットの該駆動モジュールが該キャビンを動かして旋回させ、該設置経路に沿って移動させ、該キャビンドアを該少なくとも１つの展示空間及び該出入り空間のうちの１つに向けることができることを特徴とする、請求項３に記載の体感模擬装置。
【請求項７】
前記プラットフォームユニットが、該乗載ユニットの傍に設置され、かつ該少なくとも１つの展示空間が設置されたプラットフォームを含み、該プラットフォームが出入り空間を備え、該動力ユニットが、該プラットフォームユニットに設置され、かつ該プラットフォームの伝動に用いる駆動モジュールを含み、該駆動モジュールが該プラットフォームを動かし、該乗載ユニットに対して位置を変化させ、該プラットフォーム上の少なくとも１つの展示空間及び該出入り空間のうちの１つを該キャビンドアに向けることができることを特徴とする、請求項１に記載の体感模擬装置。
【請求項８】
前記プラットフォームユニットの該プラットフォームが該乗載ユニットを囲んで設置され、該動力ユニットの該駆動モジュールが、旋回方式で該プラットフォームを動かして旋回させ、該少なくとも１つの展示空間及び該出入り空間のうちの１つを該キャビンドアに向けることを特徴とする、請求項７に記載の体感模擬装置。
【請求項９】
前記プラットフォームと該乗載ユニットが相互に空間を隔て設置経路に沿って延伸され、該動力ユニットの該駆動モジュールが該プラットフォームを動かし、該設置経路に沿って移動させ、該少なくとも１つの展示空間及び該出入り空間のうちの１つを該キャビンドアに向けることを特徴とする、請求項７に記載の体感模擬装置。
【請求項１０】
前記プラットフォームと該乗載ユニットが相互に空間を隔て設置経路に沿って延伸され、該動力ユニットの該駆動モジュールが該プラットフォームを旋回し、該設置経路に沿って移動させ、該少なくとも１つの展示空間及び該出入り空間のうちの１つを該キャビンドアに向けることを特徴とする、請求項７に記載の体感模擬装置。
【請求項１１】
前記プラットフォームユニットがさらに該少なくとも１つの展示空間内に対応して設置された少なくとも１つのエンターテイメント設備を含み、該エンターテイメント設備が、スクリーン、インタラクティブセットまたはその組み合わせであることを特徴とする、請求項２乃至１０のいずれかに記載の体感模擬装置。
【請求項１２】
体感模擬装置であって、少なくとも１人の使用者を搭載するために用いられ、乗載ユニットと、プラットフォームユニットと、動力ユニットを含み、
該乗載ユニットが、該少なくとも１人の使用者の乗載に用いられるキャビンと、該キャビン上に相互に空間を隔てて設置され、かつそれぞれ制御により開閉できる２つのキャビンドアを含み、
該プラットフォームユニットが、該キャビンドアに対応する少なくとも１つの展示空間及び出入り空間を含み、該少なくとも１つの展示空間及び出入り空間が対応する該キャビンドアと相互に対面し、かつ該キャビンドアが開いたとき、該少なくとも１人の使用者の前に展示するために用いられ、
該動力ユニットが、該乗載ユニット上に設置されたアクチュエータモジュールを含み、該アクチュエータモジュールが、該キャビンドアが完全に閉じられた後、いずれかのキャビンドアが再び開かれるまでの期間内に、該乗載ユニットを駆動して上下方向に沿って移動させるために用いられる、
ことを特徴とする、体感模擬装置。
【請求項１３】
前記動力ユニットの該アクチュエータモジュールが、該乗載ユニットを駆動し、上下方向に沿って少なくとも１回往復昇降させることができることを特徴とする、請求項１２に記載の体感模擬装置。
【請求項１４】
前記プラットフォームユニットが複数の展示空間を含み、該動力ユニットがさらに該乗載ユニット上に設置された駆動モジュールを含み、該駆動モジュールが該乗載ユニットを動かし、該プラットフォームユニットに対して位置を変化させ、該複数のキャビンドアを該複数の展示空間及び該出入り空間のうちの２つにそれぞれ向けることができることを特徴とする、請求項１２に記載の体感模擬装置。
【請求項１５】
体感模擬装置であって、複数の使用者を搭載するために用いられ、乗載ユニットと、プラットフォームユニットと、動力ユニットを含み、
該乗載ユニットが、該複数の使用者の乗載に用いられる複数のキャビンと、該複数のキャビン上にそれぞれ設置され、かつ制御により開閉できる複数のキャビンドアを含み、
該プラットフォームユニットが該乗載ユニットの傍に設置され、かつ複数の展示空間を含み、各展示空間がそのうち１つのキャビンドアに対応し、かつ該キャビンドアが開いたとき、対応するキャビン内にいる使用者の前に展示するために用いられ、
該動力ユニットが、該乗載ユニット上に設置されたアクチュエータモジュールを含み、該アクチュエータモジュールが、該複数のキャビンドアが完全に閉じられた後、再び開かれるまでの期間内に、該乗載ユニットを駆動して上下方向に沿って移動させるために用いられる、
ことを特徴とする、体感模擬装置。
【請求項１６】
前記動力ユニットの該アクチュエータモジュールが、該乗載ユニットを駆動し、上下方向に沿って少なくとも１回往復昇降させることができることを特徴とする、請求項１５に記載の体感模擬装置。
【請求項１７】
前記プラットフォームユニットがさらに出入り空間を含み、該動力ユニットがさらに該乗載ユニット上に設置された駆動モジュールを含み、該駆動モジュールが該乗載ユニットを動かし、該プラットフォームユニットに対して位置を変化させ、該複数のキャビンドアを該複数の展示空間及び該出入り空間にそれぞれ向けることができることを特徴とする、請求項１５に記載の体感模擬装置。
【発明の詳細な説明】
【技術分野】
【０００１】
本発明は模擬装置に関し、特に、エレベーターの昇降体感を模擬することができる、模擬装置に関する。
【背景技術】
【０００２】
エレベーターは人を搭乗させ、ケーブルで動かして乗客を上下に昇降させ、階層間を行き来するために用いる道具である。エレベーターはドアが閉じた後、外部の状況を知ることができず、かつエレベーターのドアが再び開くと、外部の状況が忽然と乗客の目に入ってくる。図１に示すように、エレベーター搭乗時に乗客が外部の状況を予期できないという特性を利用して、現在の体験施設１は複数の展示空間１１が異なる階層１２にそれぞれ設置され、使用者を乗載したエレベーター１０でこれら階層１２間を上下に昇降する。各展示空間１１にはインタラクティブ設備１１１が設置され、該エレベーター１０がそのうち１つの展示空間１１に位置を合わせた後、該エレベーター１０のエレベータードア１０１が忽然と開き、該展示空間１１内のインタラクティブ設備１１１がエレベーター内の乗客と相互作用する。例えば、恐怖で驚かせることを訴求している場合、忽然と走り出てくるゾンビや、棺桶から手が伸びてくる機関、植木鉢から伸びて血塗られた大きな口を開ける人食い花等の機関やセットを設置することができる。しかしながら、該体験施設１で該エレベーター１０を継続して上昇させる、または高階層から継続して下降させて、使用者に各階層の展示空間１１を見せるためには、複数の階層１２を組み合わせる必要があり、つまり極めて大きな垂直設置空間が必要となるため、設置難度が大幅に高くなる。
【発明の概要】
【発明が解決しようとする課題】
【０００３】
このため、本発明の目的は、場所に対する要求が比較的低く、配置しやすい体感模擬装置を提供することにある。
【課題を解決するための手段】
【０００４】
本発明の体感模擬装置は、少なくとも１人の使用者を搭載するために用いられ、乗載ユニットと、該乗載ユニットの傍に設置されるプラットフォームユニットと、動力ユニットを含む。該乗載ユニットが、該少なくとも１人の使用者の乗載に用いられるキャビンと、該キャビン上に設置され、かつ制御により開閉できるキャビンドアを含む。該プラットフォームユニットが、該少なくとも１人の使用者の観賞に供するために用いる少なくとも１つの展示空間を含み、該展示空間が該キャビンドアに対応し、かつ該キャビンドアが開いたとき、該少なくとも１人の使用者の前に展示するために用いられる。該動力ユニットが、該乗載ユニット上に設置されたアクチュエータモジュールを含み、該アクチュエータモジュールは、該キャビンドアが完全に閉じられた後、再び開かれるまでの期間内に、該乗載ユニットを駆動して上下方向に沿って移動させるために用いられる。
【０００５】
本発明は別の態様の体感模擬装置を提供する。
【０００６】
本発明の体感模擬装置は、少なくとも１人の使用者を搭載するために用いられ、乗載ユニットと、プラットフォームユニットと、動力ユニットを含む。該乗載ユニットが、該少なくとも１人の使用者の乗載に用いられるキャビンと、該キャビン上に相互に空間を隔てて設置され、かつそれぞれ制御により開閉できる２つのキャビンドアを含む。該プラットフォームユニットが、該キャビンドアに対応する少なくとも１つの展示空間及び出入り空間を含み、該少なくとも１つの展示空間及び該出入り空間が対応する該キャビンドアと相互に対面し、かつ該キャビンドアが開いたとき、該少なくとも１人の使用者の前に展示するために用いられる。該動力ユニットが、該乗載ユニット上に設置されたアクチュエータモジュールを含み、該アクチュエータモジュールは、該キャビンドアが完全に閉じられた後、いずれかのキャビンドアが再び開かれるまでの期間内に、該乗載ユニットを駆動して上下方向に沿って移動させるために用いられる。
【０００７】
本発明はさらに別の態様の体感模擬装置を提供する。
【０００８】
本発明の体感模擬装置は、複数の使用者を搭載するために用いられ、乗載ユニットと、該乗載ユニットの傍に設置されるプラットフォームユニットと、動力ユニットを含む。該乗載ユニットが、該複数の使用者の乗載に用いられる複数のキャビンと、該複数のキャビン上にそれぞれ設置され、かつ制御により開閉できる複数のキャビンドアを含む。該プラットフォームユニットが複数の展示空間を含み、各展示空間がそのうち１つのキャビンドアに対応し、かつ該キャビンドアが開いたとき、対応するキャビン内の使用者の前に展示するために用いられる。該動力ユニットが、該乗載ユニット上に設置されたアクチュエータモジュールを含み、該アクチュエータモジュールが、該複数のキャビンドアが完全に閉じられた後、再び開かれるまでの期間内に、該乗載ユニットを駆動して上下方向に沿って移動させるために用いられる。
【発明の効果】
【０００９】
本発明の効果は次のとおりである。使用者が該キャビンに進入し、かつ該キャビンドアを完全に閉めると、該アクチュエータモジュールが該乗載ユニットを駆動して上下方向に沿って移動させた後、キャビンドアが開いて使用者に該展示空間を展示し、速度と機械動作、人体の動態慣性に対するバランス反応を利用して、該キャビン内の使用者にエレベーターが上下に昇降する体感を生じさせることで、比較的低い実際の垂直移動量で複数の階層間を移動する感覚を模擬し、使用者に該展示空間を見せるという目的を達することができ、必要な垂直設置空間を大幅に減少し、設置難度を軽減することができる。
【図面の簡単な説明】
【００１０】
【図１】従来の体験施設を示す概略図である。
【図２】本発明の体感模擬装置の実施例１の正面図である。
【図３】図２を俯瞰した態様を説明する俯瞰図である。
【図４】該実施例１が複数のキャビン及び複数のキャビンドアを備えた態様を説明する俯瞰図である。
【図５】実施例１を複数併用した態様を説明する俯瞰図である。
【図６】実施例１の乗載ユニットを線形移動方式とした態様を説明する俯瞰図である。
【図７】実施例１の乗載ユニットが線形移動と回転を兼備した態様を説明する俯瞰図である。
【図８】本発明の体感模擬装置の実施例２の俯瞰図である。
【図９】実施例２の態様を説明する正面図である。
【図１０】図７を直線移動とした態様を説明する俯瞰図である。
【図１１】本発明の体感模擬装置の実施例３の俯瞰図である。
【図１２】実施例３が複数の展示空間を含み、かつ回動方式で動作する態様を説明する俯瞰図である。
【図１３】実施例３が複数の展示空間を含み、かつ線形方式で移動する態様を説明する俯瞰図である。
【図１４】実施例３を複数併用した態様を説明する俯瞰図である。
【発明を実施するための形態】
【００１１】
本発明について詳細に説明する前に、以下の説明において、類似した部材は同じ符号で表されることに注意が必要である。
【実施例１】
【００１２】
図２と図３に示すように、本発明の体感模擬装置の実施例１は、乗載ユニット２と、該乗載ユニット２の傍に設置されたプラットフォームユニット３と、該乗載ユニット２上に設置された動力ユニット４を含む。特に説明すべきは、図２は断面方式で表した正面図であり、図３は俯瞰図である点である。該乗載ユニット２は、キャビン２１と、該キャビン２１上に設置され、かつ制御により開閉できるキャビンドア２２を含む。特に説明すべきは、本実施例１のいうキャビンドア２２は一方向に沿って移動し、開閉する１枚の扉を配置することができ、また相対移動して開閉する２枚の扉を配置してもよく、該キャビン２１の大きさ、テーマの設計及び配置のニーズに応じて決定することができる点である。
【００１３】
該プラットフォームユニット３は、該キャビン２１を囲む複数の展示空間３１と、該複数の展示空間３１と共同で等角度で該キャビン２１を囲む出入り空間３２と、該複数の展示空間３１内に設置された複数のエンターテイメント設備３３を含む。各エンターテイメント設備３３は、スクリーンと、インタラクティブセットまたはその組み合わせである。図２及び図３において、該複数のエンターテイメント設備３３は各展示空間３１中にそれぞれ１つのインタラクティブセットを有する方式で実施されるが、実際は特定の展示空間３１にはインタラクティブセット、別の特定の展示空間３１にはスクリーン、さらには１つの展示空間３１内に複数のインタラクティブセットまたはスクリーンを設置する等、異なる配置方式としてもよい。インタラクティブセットは、該使用者を検出する、または該キャビンドア２２の開放を検出して作動するお化けやホラーセットとすることができるが、当然、テーマに応じて可愛らしい動物や惑星・星の模型等とすることもできる。同様に、スクリーンには前述のオブジェクトを表示でき、かつ使用者の接近または該キャビンドア２２の開放を検出して起動することができる。
【００１４】
該動力ユニット４は、該キャビン２１下方に設置され、かつ該キャビン２１に連接されたアクチュエータモジュール４１と、該キャビン２１を動かして旋回させることができる駆動モジュール４２を含む。該アクチュエータモジュール４１は、エアシリンダー、カム、またはその他作動機構としてもよく、該プラットフォームユニット３の配置ニーズに合わせ、該キャビン２１を上下方向に沿って移動させたり、さらには同時に上下及び水平方向に沿って移動させたりすることができる。かつ、該キャビン２１底部または周囲に緩衝器（図示しない）を設置し、エレベーターに出入りする微動感を形成する。本実施例１において、該駆動モジュール４２は旋回軸４２１で該アクチュエータモジュール４１の底部を支持し、かつ該アクチュエータモジュール４１を固定しており、該旋回軸４２１の外囲に補助輪４２２が設置され、モーター等の動力源（図未示）を通じて速度を制御しながら該旋回軸４２１を旋回させることができるが、これに限定されない。該キャビン２の旋回時は、該キャビン２自体の中心を通り、かつ直立した軸線の周りを旋回する。
【００１５】
本実施例１の動作過程は次のとおりである。作動していないとき、該乗載ユニット２のキャビンドア２２は該出入り空間３２に向き、かつ開いた状態であり、複数の使用者が該出入り空間３２から該キャビン２１内に入ることができる。続いて該キャビンドア２２を制御して閉じると、該複数の使用者は外部の状況を知ることができず、緊張と期待感が生まれる。該キャビンドア２２が完全に閉じられた後、該アクチュエータモジュール４１が該キャビン２１を動かして上下方向に沿って少なくとも１回往復昇降させる。本実施例１は複数回の往復上下昇降を例とし、往復昇降、速度及び人体の動態慣性に対するバランス反応で該キャビン２１内の該複数の使用者にエレベーターの上昇または下降の体感を生じさせ、エレベーターが移動して１つまたは複数の階層を通過する感覚を模擬する。該アクチュエータモジュール４１の作動前、作動中または作動後、該駆動モジュール４２が直接または間接的に該キャビン２１を旋回させ、該キャビンドア２２を由朝向該出入り空間３２に向いた方向から該展示空間３１のうちのいずれかに向いた方向に旋回させる。該キャビンドア２２の昇降後、かつ最後に該展示空間３１の高差に対応する位置まで戻ったとき（該キャビン２１と該プラットフォームユニット３間に段差があり、該使用者の出入りがしにくくならないように）、キャビンドア２２が該展示空間３１の位置に合い、かつ該アクチュエータモジュール４１が動作を停止した後、該キャビンドア２２が再び開き、該展示空間３１内の該エンターテイメント設備３３が該複数の使用者の前に直接展示される。該展示空間３１は該複数の使用者が進入し、該複数のインタラクティブセットと相互作用できるように設計することができる。場所とコストの制限がある場合、該展示空間３１を該複数の使用者が進入できないようにし、スクリーンで該複数の使用者と相互作用するように設計してもよい。例えば、該キャビンドア２２が開いたとき、該エンターテイメント設備３３のスクリーンに吊り下がった死体道具／ゾンビ道具を瞬間的に表示し、それにより死体が該キャビン２１の上端部から下へ吊り下がったように見せ、臨場感を高める。このほか、該キャビンドア２２が開いたとき、該スクリーン上で物語の上演やビデオを開始し、該複数の使用者に観賞させることもでき、これらに限らない。該キャビンドア２２が再び閉じた後、前述の作動過程を繰り返し、該キャビンドア２２を再度別の異なる展示空間３１に向ける。それ以後についても同様とする。
【００１６】
該アクチュエータモジュール４１を通じて該複数の使用者にエレベーターに搭乗した体感を生じさせることができ、また該駆動モジュール４２を通じて該キャビンドア２２を順に異なる展示空間３１に向けて連接させることができるため、本来垂直に排列して比較的多い垂直設置空間を必要とする階層を、水平に取り囲むように排列し、水平設置空間のみを必要とする該複数の展示空間３１に転化させ、空間が比較的狭い、または単一階層しか使用できない場所で応用でき、汎用性が高い。特に説明すべきは、該プラットフォームユニット３は水平面のみに限定しなくてもよい点であり、つまり、該複数の展示空間３１は上下方向に沿ってそれぞれ異なる高さの水平面に配置し、該アクチュエータモジュール４１により該キャビン２１を動かして上下移動させることで、該複数の展示空間３１に対応させることもできる。このほか、図４に示すように、該乗載ユニット２は複数の環状に排列されたキャビン２１と、該複数のキャビン２１上にそれぞれ設置され、かつそれぞれ１つの展示空間３１に向けられた複数のキャビンドア２２を含むこともできる。
【００１７】
図５に示すように、本実施例１はさらにその他の実施態様としてもよく、例えば２つまたは複数の体感模擬装置を併用し、出入り空間３２、そのうち１つまたは複数の展示空間３１を相互に連通させ（図５は該２つの体感模擬装置の２つの展示空間３１を相互に連通させた例である）、より長い体験ルートを形成し、より変化をもたせた応用が可能である。図６に示すように、該出入り空間３２及び該複数の展示空間３１は環状の排列のほか、設置経路Ａに沿って設置してもよい。図６の設置経路Ａは直線であり、この場合該駆動モジュール４２は図６に示すように該キャビン２１を旋回させず、該キャビン２１を該設置経路Ａに沿って直線移動させ、該キャビンドア２２を該出入り空間３２及び該複数の展示空間３１に向かわせることができる。図７に示すように、該設置経路Ａは図７に示すように曲線としてもよく、この場合該駆動モジュール４２は該キャビン２１を該設置経路Ａに沿って移動かつ旋回させ、該キャビンドア２２を能轉向以對應該出入り空間３２及び該複数の展示空間３１に向かわせることができる。図６と図７に示す態様は、前述と異なるその他方式で該乗載ユニット２を動かし、該プラットフォームユニット３に相対して位置を変えることができ、直線または曲線の移動は体験内容及び実際のニーズに応じて該キャビン２１の往復昇降前、中または後とすることができる。このほか、必要に応じて図３、図６及び図７に示す異なる態様の複数組の体感模擬装置を相互に組み合わせて使用してもよい。例えば一列の一直線に排列した展示空間３１の相反する両側に乗載ユニット２をそれぞれ設置したり、或いは乗載ユニット２を取り囲む該複数の展示空間３１及び該出入り空間３２の外側に、該複数の展示空間３１及び該出入り空間３２の周りを移動する乗載ユニット２を設置したりすることができ、場所の大きさ及び形態に応じて最も効率的な配置方法を選択できる。説明すべきは、図６及び図７に示すエンターテイメント設備３３はスクリーンの態様で表現される点である。
【実施例２】
【００１８】
図８及び図９に、本発明の体感模擬装置の実施例２を示す。本実施例２は概ね該実施例１と同じであるが、次の点が異なる。該プラットフォームユニット３はさらに該乗載ユニット２を取り囲んで設置されたプラットフォーム３４を含み、該出入り空間３２及び該複数の展示空間３１が該プラットフォーム３４上に環状に設置され、該動力ユニット４の駆動モジュール４２（図８中では該プラットフォーム３４の下方に位置するため、破線で表示されている）が該プラットフォーム３４底部に設置されたホイール４２３及び軌道４２４であり、かつ動力源（図示しない）により該複数のホイール４２３を駆動して該プラットフォーム３４を旋回させ、該プラットフォーム３４を該乗載ユニット２に対して旋回させることで、該出入り空間３２または該複数の展示空間３１中のいずれか１つを該キャビンドア２２の位置に合わせる。このような配置方法は、該キャビン２１が同時要被該アクチュエータモジュール４１及び該駆動モジュール４２によって動かされ、機構が複雑になることを回避でき、かつ該プラットフォーム３４上に１つまたは複数の乗載ユニット２を直接設置できるため、変化性に富んでいる。図１０に示すように、実施例２の別の態様では、該プラットフォーム３４がコンベアベルトまたは板状の形式で設置経路Ａに沿って延伸され、該出入り空間３２及び該複数の展示空間３１が該設置経路Ａに沿って該プラットフォーム３４上に配置されてもよい。該駆動モジュール４２が該プラットフォーム３４を動かし該設置経路Ａに沿って移動させ、該出入り空間３２または該複数の展示空間３１のうちのいずれか１つを該キャビンドア２２の位置に合わせる。このような態様の機構は簡単であり、かつ体験過程中、該複数の使用者は昇降以外の移動（水平移動または旋回）を感じることがなく、没入感及び体験レベルを高めることができる。本実施例２は該プラットフォーム３４の位置を該乗載ユニット２に対して変化させることにより、該実施例１と異なる配置方法を選択に提供し、汎用性を高めている。
【実施例３】
【００１９】
図１１に本発明の体感模擬装置の実施例３を示す。該実施例３は概ね該実施例１と同じであるが、次の点が異なる。該乗載ユニット２が、相互に空間を隔てて相反する側に向けて設置された２つのキャビンドア２２を含む。該プラットフォームユニット３はそのうち１つのキャビンドア２２に向けられた展示空間３１と、別のキャビンドア２２に向けられた出入り空間３２を含む。該動力ユニット４は該駆動モジュール４２を具備していない。本実施例３は機構が最も簡単で、必要な空間が最小の実施例であり、該出入り空間３２に向けられたキャビンドア２２が開いたとき、該複数の使用者が該出入り空間３２から該キャビン２１内に進入することができる。該キャビンドア２２が完全に閉じた後、該アクチュエータモジュール４１が該キャビン２１を動かして上下に往復移動させ、続いて該展示空間３１に向けられたキャビンドア２２が開き、該展示空間３１が該複数の使用者の前に展示される。前述の過程において該キャビン２１が水平移動または旋回する必要がなく、該アクチュエータモジュール４１により動かされるだけであるため、機構及び空間配置が大幅に簡素化される。
【００２０】
図１２に示すように、当然、本実施例３も該実施例１と同じように、複数の展示空間３１及び該出入り空間３２が該乗載ユニット２を囲んで設置され、該駆動モジュール４２が該キャビン２１を旋回させて、該複数のキャビンドア２２に該出入り空間３２及び該複数の展示空間３１のうちの２つにそれぞれ対応させ、該複数のキャビンドア２２を同時に開き、かつ２つの展示空間３１を同時に出現させることもでき、また該複数のキャビンドア２２を順に開閉してもよい。実際の応用においては、該複数のキャビンドア２２を同時に開くと、該キャビン２１内の該複数の使用者に取り囲まれた圧迫感と刺激を与えることができ、該複数の使用者の前のキャビンドア２２を先に開き、そのうち１つの展示空間３１を出現させ、続いて該キャビンドア２２が閉じた後、該複数の使用者の背後にあるキャビンドア２２を突然開けば、驚かせる効果を生むことができる。特に説明すべきは、該出入り空間３２は複数としてもよい点であり、それにより該複数のキャビンドア２２がそれぞれ該複数の出入り空間３２に向けられ、該複数の使用者が該キャビン２１を出入りするときより円滑かつ速やかにすることができる。図１３に示すように、当然、さらに該複数の展示空間３１及び該出入り空間３２を図１２に示すように、設置経路Ａに沿って排列し、該設置経路Ａの両側にそれぞれ設置してもよく、該乗載ユニット２が該設置経路Ａに沿って移動するとき、該複数のキャビンドア２２を同時に２つの相対する展示空間３１（または１つの展示空間３１と出入り空間３２、また２つの出入り空間３２を設置してもよい）に向かって開かせることができる。
【００２１】
図１４に示すように、本実施例３は該実施例１と同じように、２つまたは複数の体感模擬装置を併用し、出入り空間３２、そのうち１つまたは複数の展示空間３１を相互に連通させ（図１４は該２つの体感模擬装置の２つの展示空間３１を相互に連通させた例である）、より長い体験ルートを形成してもよく、かつ必要に応じて１つまたは複数の体感模擬装置に２つのキャビンドア２２を具備させることができ、より変化をもたせた応用が可能である。
【００２２】
上述をまとめると、本発明は占用する垂直空間が少なく、設置条件を低くすることができ、かつ各種の配置態様から選択できる。また該複数の使用者は該キャビン２１内で昇降の体感を体験でき、かつ該キャビンドア２２が開いた後觀賞或體驗該展示空間３１がもたらすエンターテイメントを観賞または体験できるため、本発明の目的を確実に達成することができる。
【００２３】
以上の説明は、本発明の実施例に基づくものであり、これらを以って本発明の実施の範囲を限定することはできず、本発明の特許請求の範囲及び明細書の内容に基づいた簡単な同等効果の変化や修飾はすべて本発明の範囲内に含まれる。
【符号の説明】
【００２４】
２  乗載ユニット
２１  キャビン
２２  キャビンドア
３  プラットフォームユニット
３１  展示空間
３２  出入り空間
３３  エンターテイメント設備
３４  プラットフォーム
４  動力ユニット
４１  アクチュエータモジュール
４２  駆動モジュール
４２１  旋回軸
４２２  補助輪
４２３  ホイール
４２４  軌道
Ａ  設置経路
【図１】
2020011052.tif 000003
【図２】
2020011052.tif 000004
【図３】
2020011052.tif 000005
【図４】
2020011052.tif 000006
【図５】
2020011052.tif 000007
【図６】
2020011052.tif 000008
【図７】
2020011052.tif 000009
【図８】
2020011052.tif 000010
【図９】
2020011052.tif 000011
【図１０】
2020011052.tif 000012
【図１１】
2020011052.tif 000013
【図１２】
2020011052.tif 000014
【図１３】
2020011052.tif 000015
【図１４】
2020011052.tif 000016